(57)【要約】【課題】所定のメッセージを容易に導出することができ、且つ必要に応じて所望の複数の言語で前記選択したメッセージを再生することができる多言語再生装置を提供する。【解決手段】所定のメッセージを導出するためのメニューと、前記複数の言語から所定の言語を選択するためのメニューとを表示する表示手段４、２２と、前記表示手段に表示されたメニューに対し操作者が選択可能なインターフェイスを提供する選択手段４、２２と、前記複数のメッセージ候補の各メッセージに対応する音声データを前記複数の言語ごとに記憶するデータ記憶手段２３と、前記選択手段により所定のメッセージが選択され、所定の言語が選択された状態において、前記選択された言語に対応する該メッセージの音声データを前記データ記憶手段から読み出し、音声信号として繰り返し出力する音声信号出力手段２４とを備える。【選択図】図３
2014044349.tif 000002
【特許請求の範囲】
【請求項１】
複数のメッセージ候補から選択された所定のメッセージの音声信号を、複数の言語から選択された所定の言語で出力可能な多言語再生装置であって、
前記所定のメッセージを導出するためのメニューと、前記複数の言語から所定の言語を選択するためのメニューとを表示する表示手段と、
前記表示手段に表示されたメニューに対し操作者が選択可能なインターフェイスを提供する選択手段と、
前記複数のメッセージ候補の各メッセージに対応する音声データを前記複数の言語ごとに記憶するデータ記憶手段と、
前記選択手段により所定のメッセージが選択され、所定の言語が選択された状態において、前記選択された言語に対応する該メッセージの音声データを前記データ記憶手段から読み出し、音声信号として繰り返し出力する音声信号出力手段とを備えることを特徴とする多言語再生装置。
【請求項２】
前記音声信号出力手段から出力される音声信号の音量を調整可能な第１の音量調整手段を備えることを特徴とする請求項１に記載された多言語再生装置。
【請求項３】
前記表示手段と前記選択手段とは、抵抗膜方式のタッチパネルディスプレイにより構成されることを特徴とする請求項１または請求項２に記載された多言語再生装置。
【請求項４】
更に、音声入力するためのマイクと、
前記マイクから出力される音声信号と前記音声信号出力手段から出力される音声信号とが入力され、いずれかの音声信号を出力する音声信号切り換え手段と、
前記音声信号切り換え手段に対し、前記マイクからの音声信号を出力するよう制御信号を出力するマイク割り込み手段と、
前記音声切り換え手段から出力された音声信号の音量を調整する第２の音量調整手段と、
前記第２の音量調整手段により音量調整された音声信号を増幅する信号増幅手段と、
前記信号増幅手段により増幅された音声信号を再生するスピーカとを備えることを特徴とする請求項１乃至請求項３のいずれかに記載された多言語再生装置。
【請求項５】
演算処理を行うＣＰＵと、前記ＣＰＵにより実行可能なプログラムが格納されるプログラム記憶手段とを備え、前記ＣＰＵが前記プログラム記憶手段に格納されたプログラムを実行することにより、
複数階層からなるツリー構造のメニュー項目を前記表示手段に表示させるツリーメニュー提供手段と、
前記ツリーメニュー提供手段により前記表示手段に表示されたツリー構造のメニュー項目に対し、前記選択手段により所定の項目が選択されることにより前記複数のメッセージ候補を前記表示手段にリスト表示させるメッセージリスト提供手段と、
前記メッセージリスト提供手段により前記表示手段に表示された前記複数のメッセージ候補のリストに対し、前記選択手段により所定のメッセージが選択されることにより、複数の言語の選択メニューを含む該メッセージの再生指示画面を前記表示手段に表示させる再生指示画面提供手段と、
が機能することを特徴とする請求項１乃至請求項４のいずれかに記載された多言語再生装置。
【請求項６】
前記ツリーメニュー提供手段により前記表示手段に表示されるツリー構造の最上層のメニュー画面には、所定のメッセージを呼び出すプリセットメニューボタンが設けられ、
前記再生指示画面提供手段により前記表示手段に表示された前記選択されたメッセージの再生指示画面には、該メッセージを前記プリセットメニューボタンに登録するプリセット登録ボタンが設けられていることを特徴とする請求項５に記載された多言語再生装置。
【発明の詳細な説明】
【技術分野】
【０００１】
この発明は、多言語再生装置に関し、例えば非常時において必要なメッセージを複数の言語で繰り返し再生することのできる多言語再生装置に関する。
【背景技術】
【０００２】
従来、オフィスビルや商業施設などの建物において利用される緊急用の放送設備にあっては、建物内に設置された複数のスピーカから緊急放送を行うようになっている。図１０に特許文献１に開示される従来の放送設備（報知システム）の概略構成を示す。図１０に示すように、放送設備２００は、予め記憶されたメッセージを再生する自動アナウンス部２０１と、通報内容を入力するためのマイク２０２と、所定のチャイム音信号を出力するチャイム音発生部２０３とを備える。さらに、前記自動アナウンス部２０１とマイク２０２とチャイム音発生部２０３からの出力を選択または混合するミキサ２０４と、ミキサ２０４から出力された音声信号を増幅するアンプ２０５と、前記アンプ２０５の出力を再生するスピーカ２０６とを備えている。
【０００３】
このような放送設備によれば、自動アナウンス部２０１に予め所定の音声メッセージが記憶されているため、非常時において操作者は慌てることなく必要最低限の内容を報知することができる。さらに、前記所定の音声メッセージに加え、マイク２０２を通して更に必要な内容を通報することができる。
【先行技術文献】
【特許文献】
【０００４】
【特許文献１】特開２００２−１５３９１号公報
【発明の概要】
【発明が解決しようとする課題】
【０００５】
ところで、例えば日本におけるオフィスビルや商業施設などには、日本人に限らず複数の国の人たちが居ることが多く、全ての人に日本語が通じるとは限らない。
そのため、前記のような所定のメッセージを再生する放送設備にあっては、緊急用に限らず、多言語のメッセージに対応可能なシステムが要求されていた。
【０００６】
また、災害発生時など緊急の場合には、そのときの状況に応じた適切なメッセージを素早く呼び出して再生する必要がある。そのため、多種にわたる状況に対応した数多くのメッセージが予め用意されているだけでなく、その中から操作者が容易に適切なメッセージを選択することができるインターフェイスの提供が課題となっていた。
尚、特許文献１に記載の報知システムにあっては、緊急事態発生時に自動アナウンス器により避難誘導のための所定のメッセージが再生されることのみが開示され、メッセージを選択する具体的な手段（インターフェイス）については全く記載されていない。また、多言語でのメッセージの放送についても何ら開示されていない。
【０００７】
本発明は、前記したような事情の下になされたものであり、複数のメッセージ候補のリストから選んだ所定のメッセージを再生することのできる多言語再生装置であって、前記所定のメッセージを容易に導出することができ、且つ必要に応じて所望の複数の言語で前記選択したメッセージを再生することができる多言語再生装置を提供することを目的とする。
【課題を解決するための手段】
【０００８】
前記課題を解決するためになされた、本発明に係る多言語再生装置は、複数のメッセージ候補から選択された所定のメッセージの音声信号を、複数の言語から選択された所定の言語で出力可能な多言語再生装置であって、前記所定のメッセージを導出するためのメニューと、前記複数の言語から所定の言語を選択するためのメニューとを表示する表示手段と、前記表示手段に表示されたメニューに対し操作者が選択可能なインターフェイスを提供する選択手段と、前記複数のメッセージ候補の各メッセージに対応する音声データを前記複数の言語ごとに記憶するデータ記憶手段と、前記選択手段により所定のメッセージが選択され、所定の言語が選択された状態において、前記選択された言語に対応する該メッセージの音声データを前記データ記憶手段から読み出し、音声信号として繰り返し出力する音声信号出力手段とを備えることに特徴を有する。
このような構成によれば、前記音声信号出力手段の出力を例えば既存の放送設備に入力することにより、所望のメッセージを選択した所望の言語で放送することができる。即ち、例えば日本国内であれば、日本語が通じない人たちにも必要なメッセージを伝えることができる。
また、例えば操作者が避難のために多言語再生装置から離れて居なくなったとしても、メッセージを繰り返し放送することができる。
【０００９】
また、前記音声信号出力手段から出力される音声信号の音量を調整可能な第１の音量調整手段を備えることが望ましい。
このように第１の音量調整手段を備えることにより、例えば既存の放送設備に組み込んだ場合に、放送設備による出力音量に合わせて、再生メッセージの音量を適切に調整することができる。
【００１０】
また、前記表示手段と前記選択手段とは、抵抗膜方式のタッチパネルディスプレイにより構成されることが望ましい。
このように抵抗膜方式のタッチパネルを採用することにより、例えば作業中や寒冷地などにおいて厚手の手袋を装着した状態であってもタッチ操作を行うことができる。
【００１１】
また、更に、音声入力するためのマイクと、前記マイクから出力される音声信号と前記音声信号出力手段から出力される音声信号とが入力され、いずれかの音声信号を出力する音声信号切り換え手段と、前記音声信号切り換え手段に対し、前記マイクからの音声信号を出力するよう制御信号を出力するマイク割り込み手段と、前記音声切り換え手段から出力された音声信号の音量を調整する第２の音量調整手段と、前記第２の音量調整手段により音量調整された音声信号を増幅する信号増幅手段と、前記信号増幅手段により増幅された音声信号を再生するスピーカとを備えていてもよい。
このように構成することにより、例えばメガホン一体型の多言語再生装置とすることができる。その場合、場所を選ばず所望のメッセージを所望の言語で放送することができる。
また、所定のメッセージを繰り返し再生することができるため、例えば非常時において、このメガホン一体型の多言語再生装置を置いたまま避難しても、所定メッセージを繰り返し再生し、放送し続けることができる。
また、所定のメッセージを再生中であっても、マイク割り込み手段により、マイクからの音声入力を拡声することができ、適宜、必要となった通知事項を放送することができる。
また、再生メッセージ側の音量調整は第１の音量調整手段で調整可能であり、全体の音量調整は第２の音量調整手段により調整可能であるため、再生メッセージの音量とマイク入力された音声の拡声音量とのバランスを自由に調整することができる。
【００１２】
また、演算処理を行うＣＰＵと、前記ＣＰＵにより実行可能なプログラムが格納されるプログラム記憶手段とを備え、前記ＣＰＵが前記プログラム記憶手段に格納されたプログラムを実行することにより、複数階層からなるツリー構造のメニュー項目を前記表示手段に表示させるツリーメニュー提供手段と、前記ツリーメニュー提供手段により前記表示手段に表示されたツリー構造のメニュー項目に対し、前記選択手段により所定の項目が選択されることにより前記複数のメッセージ候補を前記表示手段にリスト表示させるメッセージリスト提供手段と、前記メッセージリスト提供手段により前記表示手段に表示された前記複数のメッセージ候補のリストに対し、前記選択手段により所定のメッセージが選択されることにより、複数の言語の選択メニューを含む該メッセージの再生指示画面を前記表示手段に表示させる再生指示画面提供手段と、が機能することが望ましい。
このように表示手段に、ツリー構造のメニュー項目を表示し、操作者が段階的に選択する構造であるため、操作者は容易に所望のメッセージを見つけ、所望の言語を選択することができる。
【００１３】
また、前記ツリーメニュー提供手段により前記表示手段に表示されるツリー構造の最上層のメニュー画面には、所定のメッセージを呼び出すプリセットメニューボタンが設けられ、前記再生指示画面提供手段により前記表示手段に表示された前記選択されたメッセージの再生指示画面には、該メッセージを前記プリセットメニューボタンに登録するプリセット登録ボタンが設けられていることが望ましい。
このように、所定のメッセージをプリセットメニューボタンに登録すれば、最上層のメニュー画面から呼び出すことができるため、より素早く所望のメッセージを再生することができる。
【発明の効果】
【００１４】
本発明によれば、複数のメッセージ候補のリストから選んだ所定のメッセージを再生することのできる多言語再生装置であって、前記所定のメッセージを容易に導出することができ、且つ必要に応じて所望の複数の言語で前記選択したメッセージを再生することができる多言語再生装置を得ることができる。
【図面の簡単な説明】
【００１５】
【図１】図１は、本発明に係る多言語再生装置の第１の実施の形態の外観を示す斜視図である。
【図２】図２は、図１の多言語再生装置を建物内の放送設備に組み込む際の接続例を示すブロック図である。
【図３】図３は、図１の多言語再生装置の主要部の構成を示すブロック図である。
【図４】図４は、図１の多言語再生装置の動作の流れを示すフローである。に沿って、図５，図６に示す操作画面４の表示例を用いながら説明する。
【図５】図５は、図１の多言語再生装置の操作画面に表示される表示例である。
【図６】図６は、図１の多言語再生装置の操作画面に表示される表示例である。
【図７】図７は、操作画面に表示可能なメニュー項目を示すツリー階層図である。
【図８】図８は、本発明に係る多言語再生装置の第２の実施形態の外観を示す斜視図である。
【図９】図９は、図８の多言語再生装置の構成を示すブロック図である。
【図１０】図１０は、従来の放送設備の構成例を示すブロック図である。
【発明を実施するための形態】
【００１６】
以下、本発明に係る多言語再生装置の実施形態を、図面を参照しながら説明する。図１は、本発明に係る多言語再生装置の第１の実施の形態の外観を示す斜視図である。図２は、図１の多言語再生装置を建物内の放送設備に組み込む際の接続例を示すブロック図である。
図１に示すように多言語再生装置１は、横長の直方体形状の筐体２を有し、前面側に操作面が形成されている。具体的には、その操作面に電源スイッチ３と、タッチパネルにより構成された操作画面４（表示手段、選択手段）と、音声出力をオン・オフするための放送スイッチ５と、モニタスピーカ６と、モニタスピーカ６からの再生音量を調整するモニタ音量調整つまみ７とが設けられている。
【００１７】
また、前記操作面（筐体２の前面側）の左右両端には、操作面と略面一に設けられた金属板からなるフランジ１２が突出している。前記フランジ１２には上下端にそれぞれ螺子孔１３が形成されている。前記フランジ１２及び螺子孔１３は、全米電子工業会（以下、ＥＩＡと称呼する）によって定められたラックの規格に沿って設けられており、多言語再生装置１の筐体２をＥＩＡ準拠のラックフレームに装着可能となされている。
【００１８】
前記多言語再生装置１を例えば既存の放送設備に組み込む場合、図２に示すように筐体２の背面側（図示せず）に設けられた音声出力端子１７の出力と、放送設備が有するマイク１０の出力とがセレクタ１５の入力端子に接続される。
セレクタ１５に入力された２つの音声信号は、切り換えボタン１９によっていずれかが音量調整部１８に出力され、音量調整部１８において音量調整され、アンプ１１を介して例えば建物内に複数設けられたスピーカ１６から放送される。
【００１９】
続いて、図１の多言語再生装置１の構成について図３を用いて説明する。図３は、図１の多言語再生装置１の主要部の構成を示すブロック図である。
図３に示すように、多言語再生装置１は、装置内に電源供給するための電源部２１と、前記操作画面４を形成するタッチパネルディスプレイユニット２２（表示手段、選択手段）と、複数の音声メッセージの音声データ（例えばｍｐ３形式のデジタルデータ）などを記憶するデータ記憶部２３（データ記憶手段）とを有する。
尚、前記タッチパネルディスプレイユニット２２は、好ましくは押圧位置の検出が容易な抵抗膜方式のタッチパネルが採用され、それにより作業中や寒冷地などにおいて厚手の手袋を装着した状態であってもタッチ操作を行うことができる。また、前記データ記憶部２３は、筐体２に内蔵された不揮発性メモリ、或いは挿抜自在な不揮発性メモリ（例えばＳＤカードメモリ）などにより構成することができる。
【００２０】
また、前記多言語再生装置１は、装置全体の動作を制御するための制御部３０を備え、この制御部３０は、演算を行うＣＰＵ３０ａと、操作画面４を介したユーザインタフェースに係るプログラムやデータを記憶するＲＯＭ３０ｂ（プログラム記憶手段）と、プログラムを実行させるメモリ領域のＲＡＭ３０ｃとを有する。
さらに制御部３０は、データ記憶部２３から読み出された音声データをデコードして音声信号に変換する音声デコーダ２４（音声信号出力手段）と、音声デコーダ２４から出力された音声信号の音量を調節する音量調整部２６（第１の音量調整手段）と、音量調整部２６から出力されたデジタル音声信号をアナログ変換して放送スイッチ２７に出力する出力音声変換部２５とを有する。
尚、放送スイッチ２７のオンオフ制御は放送ボタン５によってなされ、放送ボタン５が押されて放送スイッチ２７がオン状態になると音声信号が音声出力端子１７に出力されるように構成されている。
【００２１】
続いて、多言語再生装置１の動作について、図５，図６に示す操作画面４の表示例を用い、図４のフローに沿って説明する。
操作者が多言語再生装置１の電源スイッチ３を押し、電源供給部２１が電源供給を行うと、ＲＯＭ３０ｂに格納されたプログラムがＲＡＭ３０ｂに読み込まれ、ＣＰＵ３０ａにより実行される。
前記プログラムに沿って、先ずツリーメニュー提供手段が機能し、複数階層からなるツリー構造のメニュー項目が操作画面４に表示される。具体的には、初期画面として図５（ａ）に示す最上層のトップメニュー画面（大分類のメニュー）が表示される（図４のステップＳ１）。図５（ａ）に示すようにトップメニュー画面には、非常メニューボタン３１、通常メニューボタン３２、プリセットメニューボタン３３が表示される。
【００２２】
操作者が、このトップメニュー画面から例えば非常メニューボタン３１をタッチ（選択）すると（図４のステップＳ２）、図５（ｂ）に示す非常放送メニュー（中分類のメニュー）の項目が表示される（図４のステップＳ３）。図５（ｂ）に示すように非常放送メニューには、自然災害メニューボタン３４、人的災害メニューボタン３５、事故障害メニューボタン３６、鉄道系メニューボタン３７、注意喚起メニューボタン３８が表示される。
【００２３】
尚、トップメニュー画面よりも下層の全ての画面においては、画面左上に、前記トップメニュー画面に一気に戻るための先頭戻りボタン３９が常に表示され、画面右上に、１つ前の画面に戻るための戻りボタン４０が表示される。
【００２４】
また、前記非常放送メニューから例えば自然災害メニューボタン３４をタッチ（選択）すると（図４のステップＳ４）、図５（ｃ）に示すような自然災害メニュー画面が表示される（図４のステップＳ５）。
図５（ｃ）に示すように自然災害メニュー画面には、例えば、地震メニューボタン４１、津波メニューボタン４２、台風メニューボタン４３、火災メニューボタン４４、崖崩れメニューボタン４５、テロメニューボタン４６などが表示される。
【００２５】
さらに、前記自然災害メニュー画面から例えば地震メニューボタン４１をタッチ（選択）すると（図４のステップＳ６）、実行中のプログラムによりメッセージリスト提供手段が機能し、図６（ａ）に示すように再生メッセージのリスト４７が表示される（図４のステップＳ７）。
尚、複数の再生メッセージからなるリスト４７は操作画面４の領域内に一度には表示しきれない場合がある。そのため、画面下部には、頁戻りボタン４８、行戻りボタン４９、行送りボタン５０、頁送りボタン５１が設けられ、全ての再生メッセージを画面上下方向にスクロールさせて表示することが可能となっている。
【００２６】
そして、再生メッセージのリスト４７から、所望のメッセージの表示をタッチ（選択）すると（図４のステップＳ８）、再生指示画面提供手段が機能し、図６（ｂ）に示すように再生メッセージの再生指示画面が表示される（図４のステップＳ９）。
図６（ｂ）に示す例では、リスト中３番目のメッセージが選択された再生指示画面が表示されている。この再生指示画面には、選択したメッセージを再生開始するための再生ボタン５２、警告音であるサイレンを再生開始するためのサイレンボタン５３が表示される。さらに、再生するメッセージの言語を選択可能な言語選択メニューボタン５４が表示される。この例では、言語選択メニューボタン５４により、日本語、英語、中国語、韓国語の選択が可能となっており、所望の言語（表示部）をタッチすると、例えば白黒反転表示により選択状態となるように構成されている。
尚、この言語選択にあっては、複数の言語を同時に選択状態とすることも可能であり、その場合、メッセージの再生時には、選択した言語で順にメッセージが再生される。
【００２７】
また、図６（ｂ）に示すように、この再生指示画面の下部には、音量調整ボタン５５，５６が表示され、左向きの矢印で示される音量調整ボタン５５をタッチすると、再生音量が小さくなり、右向きの矢印で示される音量調整ボタン５６をタッチすると再生音量が大きくなるように構成されている。
この操作による出力信号（制御信号）は、図３に示した音量調整部２６での音量調整に用いられる。
【００２８】
尚、前記のように図５，図６に一例を示した操作画面４に表示されるメニューは、図７に示すように複数段階に枝分かれしたツリー構造となっている。即ち、大分類選択メニューＭ１と、その下層の中分類選択メニューＭ２と、その下層の小分類選択メニューＭ３と、その下層のメッセージ選択メニューＭ４とで構成されている。
前記操作画面４の説明にあっては、一例として地震に係る再生メッセージを選択するまでの説明としたが、例えば他の災害や災害以外の項目を選択した場合も同様に複数の再生メッセージ（メッセージ選択メニューＭ４）の中から適した再生メッセージを選択することができる。
【００２９】
また、図６（ｂ）に示すように再生指示画面の上部には、プリセット登録ボタン５７が設けられている。このプリセット登録ボタン５７をタッチすると、そのときに選択されているメッセージ内容及び音声データの記憶位置情報（メモリアドレス）が、制御部３０が有するＲＯＭの所定位置に記憶（登録）されるようになっている。そして、図５（ａ）に示したトップメニュー画面においてプリセットメニューボタン３３をタッチすることにより、前記登録したメッセージが画面表示され、すぐさまアクセスすることが可能となっている。
【００３０】
図６（ｂ）に示す再生指示画面において、言語の選択（例えば日本語と英語）がなされ、再生ボタン５２がタッチされると（図４のステップＳ１０）、ＣＰＵ３０ａはデータ記憶部２３から選択されたメッセージの選択言語毎の音声データをＲＡＭ３０ｂに読み出す。
前記読み出された音声データは、音声デコーダ２４において音声信号に変換されて音量調整部２６に出力され、音量調整部２６において所定の音量に調整されて出力音声変換部２５に供給される。
【００３１】
出力音声変換部２５においては、入力されたデジタル音声信号がアナログ変換され、放送スイッチ２７に出力される。尚、前記ＲＡＭ３０ｂに置かれた前記音声データは、ＣＰＵ３０ａにより実行されるプログラムにより音声信号として前記放送スイッチ２７に連続して繰り返し出力される。
そして、操作者は、モニタスピーカ６で再生音を確認後、放送ボタン５を押すことによって放送スイッチ２７がオン状態となり、前記選択された音声メッセージは図２のセレクタ１５、音量調整部１８、及びアンプ１１を介してスピーカ１６から繰り返し放送される（図４のステップＳ１１）。
【００３２】
尚、ここで、操作者により切り換えボタン１９が操作され、セレクタ１５においてマイク１０の優先モードとなされると（図４のステップＳ１２）、マイク１０から入力される音声信号が音量調整部１８に入力される。
音量調整部１８において音量調整されたマイク音声信号は、アンプ１１により増幅され、スピーカ１６から放送される（図４のステップＳ１３）。
また、切り替えボタン１９が操作され、セレクタ１５において多言語再生装置１の優先モードとなされると（図４のステップＳ１４）、ステップＳ１１の再生メッセージの繰り返し放送に戻る。
【００３３】
以上のように本発明に係る多言語再生装置１の第１の実施の形態によれば、タッチパネルの操作画面４に表示されたツリー構造のメニュー（大分類のメニューから小分類のメニュー）を順次選択することにより所定分野のメッセージ候補のリストが表示される。
そして、前記メッセージ候補のリストから所望のメッセージを選択し、所望の言語を選択した上で再生指示することにより、前記選択した言語で所望の再生メッセージを繰り返し再生（放送）することができる。
即ち、再生メッセージの選択にあっては、ツリー構造のメニュー（大分類のメニューから小分類のメニュー）を段階的に選択する構造であるため、容易に所望のメッセージを見つけることができる。また、所定のメッセージをプリセット登録し、トップメニュー画面から呼び出すことができるため、予め登録したメッセージを素早く再生（放送）することができる。
また、各メッセージに対して複数言語の音声データを有し、選択した言語のメッセージを順次再生するため、例えば日本国内であれば、日本語が通じない人たちにも必要なメッセージを伝えることができる。
また、所定のメッセージを再生中であっても、放送設備側で切り替えボタン１９を操作することにより、マイク１０からの音声入力を放送することができ、適宜、必要となった通知事項を放送することができる。
また、再生メッセージ側の音量調整は音量調整部２６で調整可能であり、全体の音量調整は音量調整部１８により調整可能であるため、再生メッセージの音量とマイク入力された音声音量とのバランスを自由に調整することができる。
【００３４】
尚、前記第１の実施の形態においては、多言語再生装置１をＥＩＡに準拠するラックのフレームに装着可能な外観形状のものとして説明したが、本発明に係る多言語再生装置にあっては、その形態に限定されるものではない。
例えば、筐体２の形状を持ち運び可能な大きさに形成してもよく、その場合には、例えば緊急時の放送設備がない建物の放送設備に接続し、即座に使用することができる。また、コンパクトな筐体であれば、例えば放送宣伝車などの車載用アンプを搭載した車両に接続し、車両を移動させながら、或いは移動先において放送を行うことができる。
【００３５】
続いて、本発明に係る多言語再生装置の第２の実施の形態について説明する。
図８は、多言語再生装置に係る第２の実施形態の外観を示す斜視図であり、図９は、図８の多言語再生装置の構成を示すブロック図である。
尚、図８、図９に示す多言語再生装置において、図１乃至図３に示した部材と同様のものについては同じ符号で示し、その詳細な説明は省略する。
【００３６】
図８に示すように、多言語再生装置１は、メガホン（拡声器）一体型である。具体的には、制御部３０、データ記憶部２３、タッチパネルディスプレイユニット２２などを収容する筐体２と、筐体２の後端部に設けられたマイク６０と、前端側に向かってラッパ状に形成されたスピーカ６６と、全体を指示するためのハンドル６７とを有している。
ハンドル６７の根元後側には電源スイッチ３とロータリボリューム６４とが設けられ、ハンドル６７の根元前側にはマイク音声を拡声するためのトークレバースイッチ６２（マイク割り込み手段）が設けられている。
尚、筐体２の天板の四隅付近にはそれぞれ肩掛けベルトを装着するためのフック６８が設けられている。
【００３７】
また、図９に示すブロック図にあっては、図３に示した第１の実施形態のブロック図とは出力音声変換部２５の出力先が異なる。即ち、図９に示すように出力音声変換部２５の出力は、セレクタ６１（音声信号切り換え手段）に入力される。また、マイク６０の出力もセレクタ６１に入力される。
前記トークレバースイッチ６２は、前記セレクタ６１に接続されており、レバーを引くと、マイク６０側の信号が選択されるようになされている。
また、セレクタ６１からの出力信号は音量調整部６３（第２の音量調整手段）に入力され、前記ロータリボリューム６４により音量調整可能となっている。
また、前記音量調整部６３の出力音声はアンプ６５（信号増幅手段）で増幅され、スピーカ６６から再生される構成となっている。
【００３８】
このように本発明に係る第２の実施の形態にあっては、多言語再生装置１がメガホン一体型に形成されていることにより、前記第１の実施形態で得られる効果に加え、場所を選ばず放送することができる。
また、所定のメッセージを繰り返し再生することができるため、例えば非常時において、このメガホン一体型の多言語再生装置１を置いたまま避難しても、所定メッセージを繰り返し再生し、放送し続けることができる。
また、所定のメッセージを再生中であっても、トークレバースイッチ６２を引くことにより、マイク６０からの音声入力を拡声することができ、適宜、必要となった通知事項を放送することができる。
また、再生メッセージ側の音量調整は音量調整部２６で調整可能であり、全体の音量調整は音量調整部６３により調整可能であるため、再生メッセージの音量とマイク入力された音声の拡声音量とのバランスを自由に調整することができる。
【符号の説明】
【００３９】
１        多言語再生装置
２        筐体
３        電源スイッチ
４        操作画面（表示手段、選択手段）
５        放送スイッチ
６        モニタスピーカ
７        モニタ音量調整つまみ
１７      音声出力端子
２１      電源部
２２      タッチパネルディスプレイユニット（表示手段、選択手段）
２３      データ記憶部（データ記憶手段）
２４      音声デコーダ（音声信号出力手段）
２５      出力音声変換部
２６      音量調整部（第１の音量調整手段）
２７      放送スイッチ
３０      制御部
３０ａ    ＣＰＵ（ツリーメニュー提供手段、再生指示画面提供手段）
３０ｂ    ＲＯＭ（プログラム記憶手段）
３０ｃ    ＲＡＭ
６０      マイク
６１      セレクタ（音声信号切り換え手段）
６２      トークレバースイッチ（割り込み手段）
６３      音量調整部（第２の音量調整手段）
６４      ロータリボリューム（第２の音量調整手段）
６５      アンプ（信号増幅手段）
６６      スピーカ
【図１】
2014044349.tif 000003
【図２】
2014044349.tif 000004
【図３】
2014044349.tif 000005
【図４】
2014044349.tif 000006
【図５】
2014044349.tif 000007
【図６】
2014044349.tif 000008
【図７】
2014044349.tif 000009
【図８】
2014044349.tif 000010
【図９】
2014044349.tif 000011
【図１０】
2014044349.tif 000012